(57)【要約】【課題】シンプルな構成で容易に組立可能で、段積可能な組み立て式トレー及びそのブランクシートを提供する。【解決手段】本考案は、底面部２と、底面部２を取り囲むように底面部２の外縁２ａ，２ｂから立設可能な側面部３，４とを備え、底面部２の互いに対向する一対の外縁２ａ，２ａから立ち上がる一対の側面部３，３は、底面部２に連なって立設する外側面部５と、外側面部５の上端縁５ａにおいて折り曲げられ外側面部５の内面側に立設する内側面部６と、内側面部６の長手方向の両端に折り曲げ線Ｌ２を介して連接し外側面部５に平行に延びるコーナー形成片７とを有し、内側面部６の両端は共に、外側面部５の両端よりも外側面部５の中央寄りに位置し、コーナー形成片７は、内側面部６の両端から外側面部５の両端を超えて延在し、組み立て時にコーナー形成片７が外側面部５との間に角度を成して立設する上段載置部３０を形成可能となっている。【選択図】図２
0003211016.tif 000002
【実用新案登録請求の範囲】
【請求項１】
底面部と、
前記底面部を取り囲むようにこの底面部の外縁から立設可能な側面部とを備え、
前記底面部の互いに対向する一対の外縁から立ち上がる一対の側面部は、前記底面部に連なって立設する外側面部と、この外側面部の上端縁において折り曲げられ外側面部の内面側に立設する内側面部と、前記内側面部の長手方向の両端に折り曲げ線を介して連接し前記外側面部に平行に延びるコーナー形成片とを有し、
前記内側面部の前記両端は共に、前記外側面部の両端よりも前記外側面部の中央寄りに位置し、
前記コーナー形成片は、前記内側面部の両端から前記外側面部の両端を超えて延在し、組み立て時に前記コーナー形成片が外側面部との間に角度を成して立設する上段載置部を形成可能なブランクシート。
【請求項２】
前記コーナー形成片の先端部は、立設時に底面部側を向く下方端縁が湾曲形状に形成されている請求項１に記載のブランクシート。
【請求項３】
前記外側面部と隣り合って立設する前記側面部の両端には、前記両端において折り曲げられ、前記外側面部と前記内側面部との間に挟み込まれて互いの立設を保持する差し込み片が設けられ、
前記差し込み片と前記外側面部との間にはスリットが形成され、
前記スリットは、前記差し込み片を有する前記側面部と前記底面部との間の折り曲げ線よりも前記差し込み片の上端縁側に形成されている請求項１又は２に記載のブランクシート。
【請求項４】
前記コーナー形成片と前記外側面部との間には、前記外側面部と前記内側面部との間の折り曲げ厚さ分以上の隙間を設ける切欠きが形成されている請求項１から３のいずれか一項に記載のブランクシート。
【請求項５】
前記外側面部と前記内側面部との間を折り曲げて前記外側面部と前記内側面部とを立設させた状態の前記内側面部の上端縁の延長線上又は前記状態の前記延長線上よりも前記内側面部の下端縁寄りにスリットが形成され、前記コーナー形成片と前記外側面部とが分離している請求項１から３のいずれか一項に記載のブランクシート。
【請求項６】
請求項１から５のいずれか一項に記載のブランクシートを用いて形成された組み立て式トレー。
【考案の詳細な説明】
【技術分野】
【０００１】
本考案は、ブランクシート及び組み立て式トレーに関する。
【背景技術】
【０００２】
和菓子や洋菓子、おにぎり、調理パン等の加工食品を、製造工場から小売店等に運搬する際には、組み立て式トレー又はばんじゅう（番重）と呼ばれる浅いトレー状の食品搬送用容器が用いられている。食品搬送用の組み立て式トレーは、積み重ねて使用できるように形成されている（例えば下記特許文献１）。
特許文献１に記載の組み立て式トレーは、同文献に添付の図２に示すように、底壁１の周縁各辺に４枚の側壁２を連設し、一対の側壁２の上端縁に連設した桟板５を内側へ折り曲げ、桟板５の側縁から延出した抱込板６で他対の側壁２を抱き込み、抱込板６の先端に連設した差込片７を差込穴８に差し込んでロックする組み立て式トレーにおいて、抱込板６を他対の側壁２の下端部まで延ばし、差込穴８を底壁１に形成し、差込片７を底壁１の下方へ回して押し上げつつ差込穴８に差し込むようにしている。
そして、この組み立て式トレーは、隣り合う側壁２を折込片４で繋ぎ、この折込片４に４５°の罫線１６を形成し、一対の側壁２と折込片４の境界をブリッジ部１７を除いて全切罫線１８とし、側壁２の起立に伴い、折込片４が一対の側壁２に沿って折り込まれるようにしている。
このような構成により、従来の組み立て式トレーは、複数を段積みできるようになっている。
【先行技術文献】
【特許文献】
【０００３】
【特許文献１】特開２００３−１１９５１号公報
【考案の概要】
【考案が解決しようとする課題】
【０００４】
しかし、特許文献１の組み立て式トレーは、角部をなす側壁２，２の上端に桟板５を被せる構成としているため、各桟板５を固定するための構成が別途必要となり、ブランクシートの構造が複雑となっていた。また、従来の組み立て式トレーは、トレー組み立て時の４つの桟板５を別々に係止させる作業が煩雑であった。また更に、このことから、折込片４の折込み時の動作を容易にする必要があり、この点からもブランクシートの構造がより一層複雑になっていたため、ユーザーにおいて組立をしないといけない場合、ユーザーが組み立て方に戸惑ってしまうという問題があった。
そこで本考案は、シンプルな構成で容易に組立可能であり且つ確実に段積みを可能とする組み立て式トレーのブランクシート又は組み立て式トレーを提供する。
【課題を解決するための手段】
【０００５】
本考案のブランクシートは、底面部と、前記底面部を取り囲むようにこの底面部の外縁から立設可能な側面部とを備え、前記底面部の互いに対向する一対の外縁から立ち上がる一対の側面部は、前記底面部に連なって立設する外側面部と、この外側面部の上端縁において折り曲げられ外側面部の内面側に立設する内側面部と、前記内側面部の長手方向の両端に折り曲げ線を介して連接し前記外側面部に平行に延びるコーナー形成片とを有し、前記内側面部の前記両端は共に、前記外側面部の両端よりも前記外側面部の中央寄りに位置し、前記コーナー形成片は、前記内側面部の両端から前記外側面部の両端を超えて延在し、組み立て時に前記コーナー形成片が外側面部との間に角度を成して立設する上段載置部を形成可能となっている。
この構成によれば、内側面部に連接させたコーナー形成片により、トレー内に上段載置部を容易に形成することができる。
【０００６】
本考案のブランクシートの前記コーナー形成片の先端部は、立設時に底面部側を向く下方端縁が湾曲形状に形成されていてもよい。
この構成によれば、コーナー形成片を折り込んで側面部内に収容する際に、コーナー形成片を有する側面部に隣接する側面部にコーナー形成片の下方端縁が干渉しないように、交わすことができる。
【０００７】
本考案のブランクシートの前記外側面部と隣り合って立設する前記側面部の両端には、前記両端において折り曲げられ、前記外側面部と前記内側面部との間に挟み込まれて互いの立設を保持する差し込み片が設けられ、前記差し込み片と前記外側面部との間にはスリットが形成され、前記スリットは、前記差し込み片を有する前記側面部と前記底面部との間の折り曲げ線よりも前記差し込み片の上端縁側に形成されていてもよい。
この構成によれば、差し込み片の折り曲げ時に差し込み片が外側面部の端部に干渉しないように、外側面部の端部を交わすことができる。
【０００８】
本考案のブランクシートの前記コーナー形成片と前記外側面部との間には、前記外側面部と前記内側面部との間の折り曲げ厚さ分以上の隙間を設ける切欠きが形成されていてもよい。  
この構成によれば、コーナー形成片の折り込みを容易にすることができる。
【０００９】
本考案のブランクシートの前記外側面部と前記内側面部との間を折り曲げて前記外側面部と前記内側面部とを立設させた状態の前記内側面部の上端縁の延長線上又は前記状態の前記延長線上よりも前記内側面部の下端縁寄りにスリットが形成され、前記コーナー形成片と前記外側面部とが分離していてもよい。
この構成によれば、コーナー形成片の折り込みを容易にすることができる。
【００１０】
本考案の組み立て式トレーによれば、上記いずれかの作用を奏することができる。
【考案の効果】
【００１１】
本考案のブンクシート及び組み立て式トレーは、非常にシンプルな構成で極めて容易に組立可能であり且つ確実に段積みを可能とするという効果を奏する。
【図面の簡単な説明】
【００１２】
【図１】本考案の第１の実施形態のブランクシートの展開図である。
【図２】本考案の第１の実施形態の組み立て式トレーを示した平面斜視図である。
【図３】本考案の第１の実施形態のブランクシートの一部拡大図である。
【図４】本考案の第１の実施形態の組み立て式トレーの組立工程を一部を拡大して示した上面斜視図である。
【図５】本考案の第１の実施形態の組み立て式トレーの組立工程を一部を拡大して示した上面斜視図である。
【図６】本考案の第１の実施形態の組み立て式トレーの組立工程を一部を拡大して示した上面斜視図である。
【図７】本考案の第１の実施形態のブランクシートの他の例の一部拡大図である。
【考案を実施するための形態】
【００１３】
以下、図を参照して本考案のブランクシート及び組み立て式トレーの一実施形態について説明する。
なお、本明細書において、上下とは、組み立て式トレーを組み立てた状態で、底面部が下面に対向するように載置して組み立て式トレーを視た場合の相対的な位置関係を指すものである。
【００１４】
図１に示すように、本考案の第１の実施形態のブランクシート１は、底面部２と、底面部２を取り囲むように底面部２の外縁２ａ，２ａ，２ｂ，２ｂから立設可能な側面部３，３，４，４とを備えている。そして、一対の側面部３，３は、底面部２の外縁２ａに連なって立設する外側面部５と、外側面部５の上端縁５ａにおいて折り曲げられ外側面部５の内面５ｓ側に立設する内側面部６と、内側面部６の長手方向の両端に連接し、外側面部５に平行に延びるコーナー形成片７とを有している。
【００１５】
底面部２は、食品等の被収容物を載置する部分であり、矩形の板状に形成されている。
一対の外縁２ｂ，２ｂには、立設時に互いに対向する一対の側面部４，４が連接している。側面部４の外縁２ｂに沿う長手方向の両端には、立設時に隣り合う側面部３に沿って折れ曲がり、隣接する側面部３に抱き込まれて互いの立設を保持する差し込み片８が形成されている。
【００１６】
差し込み片８は、側面部４の両端において外縁２ｂに直交する折り曲げ線Ｌ１を基端として外縁２ｂに沿う長手方向に延在しており、折り曲げ線Ｌ１から一定の幅寸法で延びた後、コーナー形成片７に一部食い込まれた形状をしている。
【００１７】
差し込み片８と外側面部５の長手方向の端部５ｄとの間にはスリット１５が形成されている。
図３に示すように、スリット１５は、底面部２の厚さにもよるが、外縁２ｂの端部から外縁２ｂよりも０．５ｍｍ以上数ミリ程度上端縁４ａ寄りの位置に斜めに延びた上で、外縁２ｂに平行に延びている。
【００１８】
図１に示すように、他の一対の外縁２ａ，２ａには、外縁２ａに平行な内側面部６の端縁６ｂの一部を挿入させる係止孔９が一以上（本実施形態では間隔を空けて２つ）形成されており、外側面部５及び内側面部６が連接されている。
図１及び図２に示すように、立設時に互いに対向する一対の側面部３，３は、外側面部５と、外側面部５に重なって立設する内側面部６と、内側面部６の長手方向の両端に連接されたコーナー形成片７とを有している。
【００１９】
外側面部５は、外縁２ａを長手方向の一辺とする矩形に形成されている。
内側面部６は、外側面部５が底面部２から立ち上がった際の上端となる端縁５ａ（以下「上端縁」という）に連接されている。具体的には、上端縁５ａの両端から一定寸法中央寄りの２点ｐ，ｐに挟まれた領域において、内側面部６と外側面部５とが折り返し部１０を介して連接している。
折り返し部１０は、差し込み片８の厚み（言い換えるとブランクシート１の厚み）にもよるが、数ミリ程度の幅寸法で形成されている。
【００２０】
内側面部６は、折り返し部１０を長手方向の一辺とする略矩形に形成されている。図１に示す外側面部５の内面５ｓ側に折り返された状態で、底面部２側を向く内側面部６の端縁６ｂ（以下「下端縁」という）には、外縁２ａ上の係止孔９に挿入される係止凸部１１が形成されている。また、内側面部６の下端縁６ｂの中央には、指を掛けて内側面部６を起こすための円弧状の切欠き１２が形成されている。
内側面部６の長手方向の両端には、上端縁５ａに直交する方向に形成された折り曲げ線Ｌ２を介してコーナー形成片７が連接している。
【００２１】
コーナー形成片７は、図１に示すように、折り曲げ線Ｌ２を基端として、外側面部５に平行に延びるとともに、外側面部５の長手方向の両端５ｄを超えて延びた先端部７ｔが差し込み片８側に食い込んでいる。コーナー形成片７と外側面部５との間には切欠き１３が形成され、外側面部５との間に折り返し部１０の幅寸法分の隙間が設けられている。
【００２２】
コーナー形成片７の短手方向（すなわち組み立て時の高さをなす方向の）寸法は、図１において外側面部５に直交している外縁２ｂの近傍までは一定の幅で、外縁２ｂの近傍を超える先端部７ｔは、先端に向けて窄んだ形状に形成されている。
【００２３】
特に、コーナー形成片７が立設した際に底面部２側を向くコーナー形成片７の下方端縁７ｃは、少なくとも先端部７ｔにおいて緩やかに湾曲する形状に形成されている。
この構成により、コーナー形成片７は、折り曲げ線Ｌ２を軸として回動可能になっている。
【００２４】
次に、ブランクシート１を組み立て式トレーＸにする方法について説明する。
ブランクシート１を組み立て式トレーＸにするには、図４に示すように、まず差し込み片８を折り曲げ線Ｌ１において側面部４の内面側に向けて軽く折り曲げた上で、側面部４を外縁２ｂに沿って立ち上げる。次に、折り曲げておいた差し込み片８をその外面から覆うように外側面部５を外縁２ａに沿って立ち上げる。
【００２５】
そして、図４及び図５に示すように、内側面部６を折り返し部１０において折り曲げ、差し込み片８を外側面部５と内側面部６との間に抱き込むように、内側面部６を図４に示す外側面部５の内面５ｓ側に折り畳む。
【００２６】
折り曲げ線Ｌ２から外縁２ｂ（又は折り曲げ線Ｌ１）までよりも長い寸法を有するコーナー形成片７は、底面部２の外縁２ｂ，２ｂ間の内側に収まりきらないため、折り曲げ線Ｌ２において軽い折癖を付けておく。その上で、湾曲した下方端縁７ｃを側面部４，４の上端縁４ａ，４ａにおいて摺動させ且つ折り曲げ線Ｌ２において内側面部６を折り曲げながら、図６に示すように側面部４と外側面部５との間に角度を成すようにコーナー形成片７を収める。内側面部６がほぼ完全に外側面部５に重なる位置で係止孔９に係止凸部１１が噛み合うので、係止凸部１１を係止孔９内に納め、側面部３，４の立設が完了する。このようにして、図２及び図６に示すように、側面部３及び側面部４が成す角に他の組み立て式トレーＸを載置しやすくする上段載置部３０が形成される。
他方の外側面部５、内側面部６及びコーナー形成片７を備えた側面部３についても同様にして、図２に示すように組み立てトレーＸを完成させることができる。
【００２７】
このように、ブランクシート１によれば、差し込み片８を折り曲げ線Ｌ１において折癖を付けた上で立ち上げ、この差し込み片８を抱き込むように外側面部５及び内側面部６を内側に折り込むだけで、極めて容易かつ確実にコーナー形成片７による上段載置部３０を設けた組み立て式トレーＸを形成することができるという効果を奏する。
【００２８】
また、コーナー形成片７の下方端縁７ｃが湾曲形状に形成されているため、内側面部６を外側面部５の内面５ｓ側に折り込む際に隣接する側面部４の上端縁４ａにコーナー形成片７を引っ掛けて干渉させてしまうことなく、円滑にコーナー形成片７及び内側面部６を折り込むことができるという効果を奏する。
【００２９】
また、スリット１５は、差し込み片８を有する側面部４と底面部２との間の外縁２ｂよりも側面部４の上端縁４ａ側に形成されているため、側面部４を立設させて差し込み片８を折り曲げ線Ｌ１において折り曲げる際に、外側面部５を交わして円滑に操作ことができるという効果を奏する。
【００３０】
また、コーナー形成片７と外側面部５との間には、折り曲げ部１０の厚さ分以上の隙間を設ける切欠き１３が形成されているため、コーナー形成片７の折り曲げ線Ｌ２における折り曲げを円滑にすることができるという効果を奏する。
【００３１】
なお、上記実施形態においては、外側面部５の端部５ｄと差し込み片８との間にスリット１５を形成した例を示したが、スリット１５に代えて、外縁２ｂの延長線から側面部４の上端縁４ａ寄りに０．５ｍｍから数ミリに亘って切り欠いた構成としてもよい。
【００３２】
また、コーナー形成片７と外側面部５との間の切欠き１３に代えて、図７に示すように、折り曲げ部１０の端部に沿ってコーナー形成片７方向に斜めに延び、その後外縁２ａ又は上端縁５ａに平行に延びるスリット２０を形成してもよい。
このスリット２０は、外側面部５と内側面部６との間を折り曲げて外側面部５と内側面部６とを立設させた状態の内側面部６の上端縁６ａの延長線６ｙ上に形成されていることが好ましい。又は、スリット２０は、延長線６ｙよりもわずかに内側面部６の下端縁６ｂ寄りに形成されていても構わない。
スリット２０をこのように形成することで、外側面部５と内側面部６とを立設させて側面部３としたときに、コーナー形成片７を外側面部５の内側で折り曲げ線Ｌ２上で折り曲げやすくすることが可能となる。
なお、これらのスリット１５，２０又は切欠き１３は、どのように組み合わせて適用してもよい。
【００３３】
また、上記実施形態のブランクシート１及び組み立て式トレーＸは、短手方向の外縁２ａに沿って外側面部５、内側面部６及びコーナー形成片７を有する側面部３を設け、長手方向の外縁２ｂに沿って、一枚のシート状の側面部４を設けたが、短手方向の外縁２ａに沿って一枚のシート状の側面部４を設け、長手方向の外縁２ｂに沿って上記実施形態でいう側面部３を設けた構成としてもよい。
【符号の説明】
【００３４】
１…ブランクシート
２…底面部
３…側面部
４…側面部
５…外側面部
５ａ…上端縁
６…内側面部
７…コーナー形成片
７ｃ…下方端縁
７ｔ…先端部
８…差し込み片
１３…切欠き
１５…スリット
２０…スリット
３０…上段載置部
【図１】
0003211016.tif 000003
【図２】
0003211016.tif 000004
【図３】
0003211016.tif 000005
【図４】
0003211016.tif 000006
【図５】
0003211016.tif 000007
【図６】
0003211016.tif 000008
【図７】
0003211016.tif 000009